(57)【要約】【課題】  圧縮及び伸長行程中に従来のダンパと関連するスイッシュノイズを無くすか、または低減するダンパの提供。【解決手段】  ダンパ１０内のピストン組立体２４の移動中に聞こえるスイッシュノイズを低減するダンパのノイズ防止機構が示される。ダンパは、減衰流体を収容するために作動可能な第１の部分と第２の部分を有する作業室を形成する圧力シリンダを含む。ピストンロッドが圧力シリンダ内に配置され、ピストン本体４０がピストンロッド内に固定される。ピストン本体から軸線方向に伸びる第１及び第２の環状のランド６８，７２が伸びており、これらのランドはピストン本体とは同心的である。軸線方向に伸びる円周方向に間隔を置いた流れポートの組が、第１と第２の環状の軸線方向に伸びるランドの間のピストン本体に形成される。流れポートに隣接するのは、ピストン本体が圧力シリンダ内で移動するとき“スイッシュ”ノイズを低減するノイズ防止機構８８である。【選択図】  図１
2005331110.tif 000002
【特許請求の範囲】
【請求項１】
減衰流体を収容する作業室を形成する圧力シリンダと、
前記圧力シリンダ内に少なくとも一部が配置されたピストンロッドと、
前記圧力シリンダ内に配置されて前記ピストンロッドに結合され、前記作業室を第１の部分および第２の部分に分割するピストン本体と、
前記ピストン本体と同心円的に該ピストン本体に設けられ、軸線方向に伸びる第１の環状のランドと、
前記ピストン本体と同心円的に該ピストン本体に設けられ、軸線方向に伸びる第２の環状のランドと、
前記第１の環状のランドと前記第２の環状のランドとの間で前記ピストン本体と同心円的に円周方向に間隔を置いて該ピストン本体に設けられた複数の軸線方向に伸びる流れポートと、
前記作業室の前記第１の部分と前記第２の部分との間に前記流れポートを介して延びる常開の流体通路と、
を有するダンパにおいて、
前記ピストン本体が前記圧力シリンダ内を移動するときにスイッシュノイズを低減するため前記流れポートに隣接して配置されたノイズ防止装置を有し、
該ノイズ防止装置は、前記常開の流体通路に配置され、前記第１の環状のランドと前記第２の環状のランドとの間で前記ピストン本体と同心円的に該ピストン本体に設けられ軸線方向に伸びる環状のサブランドと、
前記第１の環状のランドと前記サブランドとの間で前記ピストン本体と同心円的に前記常開の流体通路に配置された環状のノイズ防止室を含み、該ノイズ防止室は、半円形断面の環状凹面を有することを特徴とする、ダンパ。
【請求項２】
前記サブランドが前記複数の流れポートに隣接して配置されている請求項１のダンパ。
【請求項３】
前記サブランドが、前記第１の環状のランドより短く、それによって、前記減衰流体が前記サブランド上を流れるとき、前記減衰流体が前記第１の環状のランド上を流れるときより流体の制限が小さい請求項２に記載のダンパ。
【請求項４】
前記環状凹面は、前記第１の環状のランドに隣接する第１の縁部と、前記サブランドに隣接する第２の縁部とを有し、前記第１及び第２の縁部が９０°またはそれ以下の入口角度を有する請求項３に記載のダンパ。
【請求項５】
前記ピストン本体の行程中に、減衰流体が、前記第１の環状のランド上、前記ノイズ防止室、および前記サブランド上を通じて前記複数の流れポートに流れ、第１の高速流体流及び第２の低速流体流を発生し、前記ノイズ防止室は前記第２の低速流体流の回転を生じ、それによって、前記ピストン本体が前記圧力シリンダ中を移動するとき、前記環状凹面の前記第１の縁部に沿って流れる流体の該縁部に沿う圧力低下を減じてノイズを低減させる請求項４に記載のダンパ。
【請求項６】
減衰流体を収容する作業室を形成する圧力シリンダと、
前記圧力シリンダ内に少なくとも一部が配置されたピストンロッドと、
前記圧力シリンダ内に配置されて前記ピストンロッドに結合され、前記作業室を第１の部分および第２の部分に分割するピストン本体と、
前記ピストン本体と同心円的に該ピストン本体に設けられ、軸線方向に伸びる第１の環状のランドと、
前記ピストン本体と同心円的に該ピストン本体に設けられ、軸線方向に伸びる第２の環状のランドと、
前記第２の環状のランドに隣接して、前記ピストン本体と同心円的に円周方向に間隔を置いて該ピストン本体に設けられた複数の軸線方向に伸びる流れポートと、
前記作業室の前記第１の部分と前記第２の部分との間に前記流れポートを介して延びる常開の流体通路と、
を有するダンパにおいて、
前記第１の環状のランドと前記第２の環状のランドとの間で前記ピストン本体と同心円的に該ピストン本体に設けられ軸線方向に伸びる環状のサブランドと、
前記第１の環状のランドと前記サブランドとの間に前記ピストン本体と同心円的に前記常開の流体通路内に配置された環状のノイズ防止室と、
を有し、該ノイズ防止室は、半円形断面の環状凹面を有し、前記減衰流体は前記作業室の第１の部分から前記常開の流体通路を通じて前記作業室の第２の部分へ流れるとき該減衰流体が前記ノイズ防止室を通過してノイズを低減させることを特徴とするダンパ。
【請求項７】
前記サブランドが前記複数の流れポートに隣接して配置されている請求項６のダンパ。
【請求項８】
前記サブランドが、前記第１の環状のランドより短く、それによって、前記減衰流体が前記サブランド上を流れるとき、前記減衰流体が前記第１の環状のランド上を流れるときより流体の制限が小さい請求項７に記載のダンパ。
【請求項９】
前記環状凹面は、前記第１の環状のランドに隣接する第１の縁部と、前記サブランドに隣接する第２の縁部とを有し、前記第１及び第２の縁部が９０°またはそれ以下の入口角度を有する請求項８に記載のダンパ。
【発明の詳細な説明】
【技術分野】
【０００１】
本発明は、自動車のサスペンション装置及び機械的な衝撃を受ける機構に関し、特にダンパのノイズ防止機構に関する。
【背景技術】
【０００２】
ダンパはドライブ中に生じる望ましくない振動を吸収するために車のサスペンション装置に関連して使用される。ダンパは、望ましくない振動を減衰するために車体とサスペンションとの間に接続されている。ピストン組立体がダンパ内に配置され、ピストンロッドに接続されているピストンポストを通して車の車体に接続されている。ピストン組立体がダンパの作業室内の減衰流体の流れを制限することができるので、ダンパは、サスペンションから車体に伝達される振動を“円滑にし”減衰する減衰力を提供することができる。
【０００３】
圧縮及び伸長行程中にダンパ内で液体が流れる際に、液体は、人間の耳にはうるさく不快な音である“スイッシュ（ｓｗｉｓｈ）”ノイズをつくる傾向がある。このスイッシュノイズは、通常、この期間中の比較的に小さいノイズの環境によって低速の伸長及び圧縮行程中に聞こえる。しかしながら、また、スイッシュノイズは高速の行程の間にも聞こえる。このスイシュノイズは、流れの制限が小さくなる（すなわち、ブリード部分が大きくなるか、または広くなる）ピストン組立体のブリードまたは流れポートに液体が入る前に流れを制限するオリフィスを通って液体が流れるときに生じる。流れの制限を小さくすることによって、液体の空洞化が生じ（すなわち、蒸気の泡を形成し）、その結果、スイッシュノイズが生じるブリードまたは流れポートの入口点または縁部で、より低い圧力またはアンダ圧力が生じる。従来のピストン組立体の構成において、低圧のこの点は、液体がブリードまたは流れポートに入るブリードまたは流れポートの入口縁部で生じる。この点または縁部に液体を供給することが困難であるからである。
【０００４】
必要とされるものは、上述した欠点を有しないダンパである。これは、圧縮及び伸長行程中に従来のダンパと関連するスイッシュノイズを無くすか、または低減する。従って、本発明の目的は、ダンパにそのようなスイッシュ防止機構を提供することである。
【発明の開示】
【課題を解決するための手段】
【０００５】
本発明によって、ノイズ防止機構を有するダンパが示される。ノイズ防止機構は、ダンパの圧縮及び伸長行程中にスイッシュノイズを低減し又は無くすために使用される。これは、基本的にダンパのピストン組立体を通って軸線方向に伸びる流れポートに隣接するようにノイズ防止機構を配置することによって達成される。ノイズ防止機構は、減衰流体がダンパ内でピストン組立体を通過するときにスイッシュノイズを低減する。
【０００６】
圧力シリンダは減衰流体を収容するために作動可能な第１の部分及び第２の部分を有する作業室を形成する。ピストンロッドが圧力シリンダ内に少なくとも一部が配置され、ピストン本体がピストンロッドに固定される。ピストン本体からピストン本体と同心円的であり、軸線方向に伸びる第１の環状のランド及び第２の環状のランドが伸びている。環状のノイズ防止室がピストン本体と同心円的に、第１及び第２の環状の軸線方向に伸びるランドの間に配置されている。ピストン本体に同心円的に円周方向に間隔を置いて軸線方向に伸びる流れポートの組が第２の環状ランドに隣接して形成される。作業室の第１の部分から第２の部分に流れポートの組を通って減衰流体が流れるとき、まず減衰流体は、スイシュノイズを低減するために環状のノイズ防止室を通過する。
【０００７】
本発明の使用は、ピストン組立体がダンパ内を移動するとき、圧縮または伸長行程中にスイッシュノイズを低減又は解消するダンパを提供する。その結果として、従来のダンパに関連する前述した欠点はほぼ解消される。
【０００８】
以下、本発明の一実施例を図面を参照して詳細に説明する。
【０００９】
本発明の好ましい実施例は、本発明またはその用途または使用を制限するためのものではない。さらに、本発明は車に関連して説明するが、当業者は、ダンパ用のノイズ防止機構がダンパを必要とする種々の他の装置に使用することができることは容易に理解できるであろう。
【００１０】
図１Ａを参照すると、本発明のノイズ防止機構の１つの好ましい実施例を組み込んだダンパ１０が示されている。ダンパ１０は、ダンパ１０を車（図示せず）に固定するために使用される上端固定具１２及び下端固定具１４を有する。上端固定具１２は、溶接によってダンパの上方のキャップ部分１６に接続されている。上端固定具１２は、車の車体部分に接続されている。同様に、下端固定具１４は、ダンパ１０を車のサスペンション部分に固定するように下方キャップ部分１８に接続されている。当業者によって理解できるように、他の適当な手段がダンパ１０を車またはダンパ１０を必要とする他の装置に固定するために使用される。ここで使用する“ダンパ”と言う用語は、広義のダンパを言い、MacPherson支柱及びショックアブソーバを含む。
【００１１】
ダンパ１０は、液体を收容する作業室２２を画定する細長い管状圧力シリンダ２０を有する。作業室２２内には、往復動ピストン組立体２４が配置されている。往復動ピストン組立体２４は、減衰力を発生するように作業室２２の上方部分２６と下方部分２８との間の減衰流を制限する。圧力シリンダ２０内に往復動ピストン組立体２４を配置する装置を提供するために、軸線方向に伸びるピストンロッド３０及びピストンポスト３２が提供される。往復動ピストン組立体２４は、軸線方向に伸びるピストンロッド３０に固定されたピストンポスト３２の一端に固定される。
【００１２】
参照数字３４によって指定されるベース弁が圧力シリンダ２０の下方部分２８内に配置され、作業室２２と環状流体リザーバ３６との間で減衰流体の流れを制限するために使用される。環状流体リザーバ３６は、圧力シリンダ２０の外周とハウジング３８の内周との間の空隙として画定される。ベース弁３４の作動は、ここに組み込まれている米国特許第３，７５７，９１０号に示されているベース弁の作動と同様である。しかしながら、他のタイプのベース弁も使用することができる。
【００１３】
図１Ｂに最もよく示されている往復動ピストン組立体２４を参照すると、ピストン組立体２４は、ピストン本体４０の環状外周面に配置された複数の隆起部（図示せず）を有する。隆起部は、ピストン本体４０の隆起部と圧力シリンダとの間に配置された環状テフロンスリーブ４２を拘束するために使用される。テフロンスリーブ４２は、過剰な摩擦力を発生することなく、圧力シリンダ２０に対してピストン本体４０が動くことができるようにする。
【００１４】
ピストン本体４０の上方への動きは、半径方向に伸びるステップ部分４４及び支持ワッシャ４６によって制限される。ピストン本体４０の下方への動きは、ピストンポスト３２にねじ込まれるねじ付ナット４８または同様のタイプの固定部品によって制限される。螺旋コイル圧縮ばね５０が、支持ワッシャ４６と同心円的に配置され、インテーク弁組立体５２に押付けられている。螺旋コイル伸長ばね５４が、ナット４８に同心円的に配置され、ナット４８の下端から半径方向外側に伸びるフランジ５６によって下端が支持される。伸長ばね５４の上端は、ばねリテーナ５８に押付けられ、ばねリテーナ５８は、ディスク形状の弁部材６０の下側に作用し、弁部材６０をピストン本体４０と密封係合するように弾性的に押す。
【００１５】
さらにピストン本体４０は、軸線方向に伸びる円周方向に間隔を置いた流れポート６２の第１の組と、軸線方向に伸びる円周方向に間隔を置いた流れポート６４の第２の組とを有する。流れポート６２の第１の組は、３つの円周方向に間隔を置いた流れポート６２を有し、この３つの流れポート６２は、第２の組の流れポート６４から半径方向外側にそれに対して同心円的に配置され、約２つ乃至８つの円周方向に間隔を置いた流れポート６４を有する。ピストン本体４０は、２組の流れポート６２及び６４を有し、一方の組が３つの個々のポートを有し、他方の組が２つ乃至８つの間の個々のポートを有するが、当業者は、ピストン組立体２４において種々の数の流れポートを有するピストン本体の他の形状も使用することができることは理解できよう。
【００１６】
ピストン本体４０内の軸線方向下方に伸びるカウンタボア６６内には、流れポート６４の第２の組から半径方向外側に間隔を置いた下方の環状に伸びるランドすなわち弁座６８がある。このランド６８は、全体がディスク形状の弁部材６０の上側と選択的に係合するようになっているほぼ半径方向に伸びる表面を画定している。弁部材６０は、ピストン組立体２４の本体４０のランド６８及び環状ショルダ７０の組み合わせと、ナット及びばねリテーナ５８の組合わせとの間に挟持されることによってピストン本体に固定されるか拘束されるようになっている。当業者によって理解されるように、１つの弁部材６０が図示されているが、減衰の要求によっては複数の弁部材６０も使用される。ピストン本体４０は、高速の伸長行程の間、作業室内を上方に移動するとき、流れは第２の組の流れポート６４を通って下方に流れ、それによって、伸長ばね５４の抵抗に対して弁部材６０を下方に押し、それによって流体は、作業室２２の上方部分２６から作業室２２の下方部分２８に流れる。
【００１７】
以下に説明するノイズ防止機構はダンパ１０及びピストン組立体２４を参照して説明するが、ノイズ防止機構は、ダンパ１０及びピストン組立体２４の構成にのみには制限されず、ピストン組立体の上部または底部の双方で多数の他のダンパまたはピストン組立体に組み込むことができる。例えば、以下に示すノイズ防止機構は、参考によりここに組み込んだ米国特許第４，１１３，０７２号に示されたピストン組立体に組み込むことができる。
【００１８】
図２Ａ及び図２Ｂを参照すると、本発明のノイズ防止機構の１つの好ましい実施例を組み込んだピストン組立体２４が示されている。ピストン本体４０の上部は、第１の環状の軸線方向に伸びるランドまたは弁座７２と、該ランド７２と同心的な第２の環状の軸線方向に伸びるランドまたは弁座７４とを有する。第１のランド７２及び第２のランド７４は、半径方向に伸びる表面を画定し、その各々は、ピストンポスト３０に直角な同じ平面にある。これらの表面は、インテーク弁組立体５２の弁部材またはオリフィスディスク７６と選択的に係合する。オリフィスディスク７６は、第２の組の流れポート６４のための複数のインテークオリフィス７８を有するほぼ平坦なディスク形状弁部材である。インテークオリフィス７８は、高速の伸長行程の間、液体が作業室２２の上方部分２６と下方部分２８との間で流れることを可能とする。さらにオリフィスディスク７６は、図２Ｃにはっきりと示される１２個のスロットオリフィス８０を有し、これは、第１の組の流れポート６２を通して減衰流体を流すことができる。オリフィスディスク７６の上部に配置され、それと同心的に配置されるのはインテーク弁部材８２であり、この弁部材８２も、ほぼ平坦なディスク形状の弁部材である。インテーク弁部材８２も、流れポート６４の第２の組のための複数のインテークオリフィスを含む。当業者によって理解できるように、インテーク弁組立体５２は、２つの弁部材７６及び８２を含むが、しかしながら、インテーク弁組立体５２は、伸長行程中の必要な減衰や、種々の数のインテークオリフィス７８及び８４またはスロットオリフィス８０に応じて、付加的な弁部材を有することもできる。
【００１９】
第１のランド７２と第２のランド７４とに同心円的に配置されているのは環状の軸線方向に伸びるサブランド８６である。サブランド８６は、第１のランド７２と第２のランド７４よりも約０．０９ｍｍだけわずかに低く、第１及び第２のランド７２及び７４とほぼ同じ頂表面幅である約０．３０ｍｍの半径方向に伸びる頂表面を有する。第１のランド７２とサブランド８６との間にはランド７２，７４及び８６と同心的に配置された環状のノイズ防止室８８がある。ノイズ防止室８８は、約１．０ｍｍの幅と約０．６ｍｍの深さとを有する半円形断面の環状凹面を有する。流れポート６２の縁部９２が１２０°の入口角度を有するのに対して、ノイズ防止室８８の縁部９０は、約９０°の入口角度９１を有する。ノイズ防止室８８を特定の寸法について説明したが、ノイズ防止室８８は、これらの寸法にのみ制限されないことは明らかである。さらに、縁部９０の入口角度９１は、約９０°で示されているが、入口角度は、９０°未満であってもよい。
【００２０】
動作において、低速の伸長行程が生じるとき、減衰流の流れは、作業室２２の第１の部分２６から第１の組の流れポート６２を通って作業室２２の第２の部分２８に流れる。特に、流体流は、作業室２２の上部部分２６から、オリフィスディスク７６のオリフィス８０を通って、ランド７２を越えて、ノイズ防止室８８へ、更に、サブランド８６を越えて、流れポート６２を通って流れる。流体がこの通路に従うとき、参照数字９４によって指定される高速流体流が生じる。さらに高速流９４は低速の二次流体流９６を生じる。
【００２１】
流体流がオリフィス８０に入るとき、流体がノイズ防止室８８に入る前にランド７２による制限によって流れの制限が生じる。ノイズ防止室８８に入ると、ノイズ防止室８８の大きな断面積によって制限が緩和される。これはランド７２の縁部９０でわずかな低圧を生じる。しかしながら、縁部９０の入口角度は、約９０°であるから、スイッシュノイズはほとんど生じない。流体は、サブランド８６と、オリフィスディスク７６との間の周縁の空隙上を通過する。これは流体流の流れにわずかな制限を生じる。次に流体流は、ポート６２を通って流れる。流体がポート６２に入るときには流体の制限はわずかしかないので、サブランド８６の縁部９２ではほとんど低圧が生じない。それによって、低速伸長行程の間流体が縁部９２上を通過しポート６２に入るとき、スイッシュノイズを低減又は解消する。ノイズ防止室８８は、二次流体流９６の流体回転を強化促進し、これによって、二次流体流９６がランド７２の縁部９０に沿った領域を満たすことができるようにし、それによって低圧（すなわち、キャビテーション）を緩和する。
【００２２】
伸長行程の速度が増大すると、弁部材６０は、第２の組の流れポート６４の液体によって伸長ばね５４に対して弾性的に押される。これは、伸長行程中に作業室２２の上方部分２６からオリフィス８４及び７８を通過する流体からなる第２の流通路をつくる。この流体は、支持ワッシャ４６の周り、及び支持ワッシャ４６の軸線方向に伸び、かつ、ピストンポスト３０と同心に円周方向に間隔を置いた３つのオリフィス９８を通ってオリフィス８４に入る。逆に圧縮行程中には、作業室２２の下方部分２８から上方に第１の組の流れポート６２を通って流体が流れ、オリフィスディスク７６及びインテーク弁８２を上向きにばね５０に対して弾性的に押す。
【００２３】
図３Ａ乃至図３Ｃを参照すると、ピストン本体４０に組み込まれているノイズ防止機構の参考例が示されている。図３Ａ乃至図３Ｃに示すピストン本体４０は次の参照符号を除いて図１Ａ乃至図２Ｃに示すピストン本体と実質的に同じである。流れポート６２の第２の組は、図１Ａ乃至図２Ｃに示す流れポート６２よりさらに周縁が広がっている。ピストン本体４０は、第１の環状の軸線方向に伸びるランド、すなわち弁座９９と、ランド９９と同心円的な第２の環状の軸線方向に伸びるランドすなわち弁座１００とを有する。ランド１００は、第１のランド９９よりわずかに小さく軸線方向に伸びており、第１の弁部材、すなわち鋭いブリードディスク１０２と選択的に係合する。鋭いブリードディスク１０２は、第２の組の流れポート６４の複数のインテークオリフィス１０４を有する全体が平坦なディスク形状の弁部材である。この流れポート６４は、高速の伸長行程の間に作業室２２の下方部分２８への上方部分２６の間で減衰流体を通過できるようにする。さらに鋭いブリードディスク１０２は、鋭いブリードディスク１０２の外周縁１０６でピストン本体４０に隣接した同心円錐状に傾斜した表面を有する。傾斜縁の角度１０７は、９０°未満、好ましくは、約２０°乃至４０°の間が好ましい。
【００２４】
鋭いブリードディスク１０２の上部には第２の弁部材またはオリフィスディスク１０８が配置されている。またオリフィスディスク１０２は、第２の弁部材またはオリフィスディスク１０８である。またオリフィスディスク１０８は、第１及び第２の組の流れポート６２及び６４の複数のインテークオリフィスと、図３にはっきり示すように１２の軸線方向に伸び、円周方向に間隔を置いた細長いスロットオリフィス１１２とを有する平坦なディスク形状の弁部材であり、第１の組のオリフィスディスク１０８の上部にそれと同心円的に全体がディスク形状の弁部材であるインテーク弁部材１１４がある。インテーク弁１１４は、第１の組及び第２の組の流れポート６２及び６４の複数のインテークオリフィスを有する。
【００２５】
作動において、低速の伸長行程が生じるとき、減衰流体は、作業室２２の第１の部分２６から流れポート６２の第１の組を通って第２の部分２８に流れる。特に、流体流は、作業室２２の上部部分２６から複数のインテークオリフィス１１６及び１１０を通って及び流れポート６２を通って細長いスロットオリフィス１１２に入る。流体はこの通路に従うので、参照符号１１８によって指定される高速流体流が生じる。さらに、高速の流れ１１８は、低速の二次回転流１２０を生じる。周縁の同心円錐状の傾斜面は、流体の制限を低減し、鋭いディスク１０２の縁部１０６にすぐに沿った領域を満たし、この領域の低圧（すなわち、キャビテーション）を低減し、低速の伸長行程の間にスイッシュノイズを低減する。
【００２６】
図１Ａ乃至図２Ｃの実施例と同様に、伸長行程の速度が増大するとき、弁部材６０は第２の組の流れポート６４の流れによって伸長ばね５４に対して弾性的に押される。これは、作業室２２の上方部分２６からインテークオリフィス１０４，１１０及び１１６に通過する流体からなる伸長中に第２の流れ通路をつくる。この流体は、支持ワッシャ４６の周りから、ワッシャ４６の軸線方向の伸びる３つのオリフィス９８を通ってインテーク通路１０４，１１０に入る。逆に、圧縮中に、流体は作業室２２の下方部分２８から流れポート６２の第１の組を通って上方に流れ、鋭いディスク１０２、オリフィスディスク１０８及びインテーク弁１１４をばね５０に対して弾性的に上方に押す。
【００２７】
図４を参照すると、上述したノイズ防止機構を組み込まない従来のピストン組立体２４が示されている。図４のピストン４０は図３Ａに示すものと同様であり、第１の組及び第２の組の流れポート６２及び６４、及び第１及び第２のランド９９及び１００を含む。図４のランド９９及び１００はピストンポスト３０に直角な同じ平面にあり、ランド９９及び１００の頂面に、図１Ａ乃至図２Ｃに示すようなオリフィスディスク７６及びインテーク弁８２が配置されている。オリフィスディスク７６はインテークオリフィス７８及びスロットオリフィス８０を有し、インテークディスク８２はインテークオリフィス８４を含む。流れポート６２の第１の組は、図３Ａ乃至図３Ｃに示すものと同様な図１Ａ乃至図２Ｃに示す流れポート６４の第２の組から半径方向外側で円周方向に配置される。
【００２８】
低速の伸長行程中に、減衰流体は作業室２２の第１の部分２６から第２の部分２８に流れポート６２の第１の組を通って流れる。特に、流体は、作業室２２の上部部分２６からオリフィスディスク７６のオリフィス８０を通ってランド９９上及び流れポート６２を通って流れる。流体がこの通路に従うとき、参照符号１２２によって指定された高速流が生じる。さらに、高速流１２２は、低速の二次回転流体流１２４を生じる。流体がオリフィス８０に入るとき、流れはランド９９によって制限される。これと縁部１２６の大きな入口角度１２５（すなわち、１２０°）によって、制限されたスロット８０から大きなポート６２に流れる流体は、縁部１２６に沿って低圧を生じる。
【００２９】
この低圧は、二次オイルの流れ１２４がこの領域に到達することを妨げ、液体が蒸発し、気泡１２８を生じるようにし、これが低速の伸長行程中にスイッシュノイズとして聞こえる。このような状態は上述した本発明実施例において減少するか、または解消する。なぜならば、ポート６２に入る前に流れ制限が低減するからであり、制限される流れが入る縁部の入口角度を９０°またはそれ以下にするからである。例えば、図１Ａ乃至図２Ｃに示す本発明実施例のスイッシュノイズと図４に示す従来技術のスイッシュノイズとを比較すると、図１Ａ乃至図２Ｃのダンパ１０の５０ｄＢ（０−１６ｋＨｚ）に対して、図４のダンパ１０は、５６ｄＢ（０−１６ｋＨｚ）のスイシュノイズを生じる。
【００３０】
図１Ａ乃至図２Ｃの実施例は、ノイズ防止室８８の使用によって、オリフィススロット８０に対するポート６２の配置に関してさらに設計上の自由が可能になる。図１Ａ乃至図２Ｃの実施例において、サブランド８６は、ノイズ防止室８８の全周上に流体を分配する障害物として作用する。換言すれば、オリフィススロット８０に入るすべての流体は、まずノイズ防止室８８を通過する。それに対して、図４に示すダンパは、オリフィススロット８０に整列（すなわち、０°）して配置されたポート６２を示している。もしオリフィススロット８０が、ポート６２から９０°ずれて配置されている場合には、液体は、オリフィススロット８０に流れ、それが、ポート６２に入る前に四分円にわたって溝を通り、これは、聞こえるスイッシュノイズの量を低減する効果を有する。従って、サブランド８６及びノイズ防止室８８の使用によって、オリフィスディスク７６の周縁の周りのオリフィススロット８０の配置は、図４に示すダンパのように重要ではない。
【００３１】
当業者によって理解できるように、上述したノイズ防止機構は、低速伸長行程について詳細に説明したが、このノイズ防止機構は、伸長圧縮行程または低速行程の双方について及び高速または低速行程の双方においても使用することができる。これは、スイッシュノイズが起こる流れポートに隣接するようにノイズ防止機構を単に配置することによって達成される。
【００３２】
前述した説明は、本発明の実施例を単に例示的に示し、説明するものである。
【００３３】
当業者は、特許請求の範囲によって定義される本発明の精神及び範囲から離れずにこのような説明及び添付図面及び特許請求の範囲から改造、変形及び変更が行われることは理解できよう。
【図面の簡単な説明】
【００３４】
【図１】図１Ａは、本発明の実施例によるノイズ防止機構を組み込んだダンパの部分断面図である。図１Ｂは、図１Ａの線１Ｂの周りのダンパ内のピストン組立体の拡大断面図である。
【図２】図２Ａは、図１Ａに示すピストン組立体の上部部分の拡大断面図である。図２Ｂは、図２Ａの線２Ｂの周りのノイズ防止機構の拡大断面図である。図２Ｃは、図２Ｂの線２Ｃに沿って切ったノイズ防止機構の部分平面図である。
【図３】図３Ａは、参考例を使用するピストン組立体の上方部分の拡大断面図である。図３Ｂは、図３Ａの線３Ｂの周りで切ったノイズ防止機構の拡大断面図である。図３Ｃは、図３Ｂの線３Ｃに沿ったノイズ防止機構の部分平面図である。
【図４】図４は、ノイズ防止機構なしのピストン組立体の従来のブリードの拡大断面図である。
【符号の説明】
【００３５】
１０  ダンパ
１２  端部固定具
１８  下方キャップ部分
２０  圧力シリンダ
２２  作業室
２４  ピストン組立体
２８  下方部分
３０  ピストンロッド
３２  ピストンポスト
３６  環状流体貯蔵室
３８  ハウジング
４０  ピストン本体
４２  TEFLONスリーブ
４４  ステップ部分
４８  ナット
５４  伸長ばね
５６  フランジ
５８  ばねリテーナ
６０  弁部材
６２，６４  流れポート
６６  カウンタボア
６８  ランド
７０  環状ショルダ
７２  ランド
７６  オリフィスディスク
８０  スロットオリフィス
８２  インテーク弁
８６  サブランド
８８  ノイズ防止室
９０  縁部
９９，１００  弁座
１０２  ブリードディスク
【図１】
2005331110.tif 000003
【図２】
2005331110.tif 000004
【図３】
2005331110.tif 000005
【図４】
2005331110.tif 000006